【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
リモートコントロール上にユーザインターフェースを表示する方法であって、前記方法は、
前記リモートコントロールの電子ディスプレイ上に第１のリモートコントロールユーザインターフェースを表示することと、前記第１のリモートコントロールユーザインターフェースは、多機能デバイスの第１の機能モードに固有の特徴を制御するように動作可能であり、
前記多機能デバイスに第１のコマンドを送ることと、前記第１のコマンドにより、前記デバイスが前記第１の機能モードを出て、第２の機能モードに入ることになり、
前記多機能デバイスから第２のコマンドを受信することと、前記第２のコマンドは、表示されるべき第２のリモートコントロールユーザインターフェースを識別し、前記第２のリモートコントロールユーザインターフェースは、前記第２の機能モードに固有の前記多機能デバイスの特徴を制御するように動作可能であり、
前記リモートコントロールの前記電子ディスプレイ上に前記第２のリモートコントロールユーザインターフェースを表示することと、
を備え、
前記多機能デバイスは、マルチメディアサーバを備え、前記機能モードは、ストリーミング機能モードと、ウェブブラウジング機能モードと、写真閲覧機能モードと、ゲーミング機能モードと、を備え、前記第１の機能モードと前記第２の機能モードとは、異なるコントロールを必要とする異なる機能を与える、方法。
【請求項２】
前記第２のリモートコントロールユーザインターフェースからの入力に応答して、前記多機能デバイスに第３のコマンドを送ることをさらに備える、請求項１に記載の方法。
【請求項３】
前記第２のリモートコントロールユーザインターフェースの前記表示を可能にするデータは、前記第２のリモートコントロールユーザインターフェースを識別する前記第２のコマンドが前記リモートコントロールによって受信される前に前記リモートコントロールのメモリに記憶される、請求項１に記載の方法。
【請求項４】
前記入力がタッチジェスチャーである、請求項２に記載の方法。
【請求項５】
前記第２のリモートコントロールユーザインターフェースが仮想キーボードを備える、請求項１に記載の方法。
【請求項６】
前記第２のリモートコントロールユーザインターフェースがジェスチャー入力を可能にする、請求項１に記載の方法。
【請求項７】
リモートコントロール装置であって、
第１のリモートコントロールユーザインターフェースを表示するための電子ディスプレイと、前記第１のリモートコントロールユーザインターフェースは、多機能デバイスの第１の機能モードに固有の特徴を制御するように動作可能であり、
前記第１の機能モードにおける前記多機能デバイスに第１のコマンドを送るように構成されたデバイスコマンド送信モジュールと、前記第１のコマンドにより、前記多機能デバイスが第２の機能モードに入ることになり、
前記多機能デバイスから第２のコマンドを受信するように構成されたリモートコマンド受信モジュールであって、前記第２のコマンドは、前記リモートコントロール装置上に表示されるべき第２のリモートコントロールユーザインターフェースを識別し、前記第２のリモートコントロールユーザインターフェースは、前記第１の機能モードに固有の前記デバイスの特徴を制御するように動作可能であり、
前記電子ディスプレイ上に前記第２のリモートコントロールユーザインターフェースを表示するように構成されたディスプレイモジュールと、
を備え、
前記第１の機能モードと前記第２の機能モードとは、異なるコントロールを必要とする異なる機能を与え、前記機能モードは、ストリーミング機能モードと、ウェブブラウジング機能モードと、写真閲覧機能モードと、ゲーミング機能モードと、を備える、リモートコントロール装置。
【請求項８】
前記コマンド送信モジュールは、無線送信機、Ｂｌｕｅｔｏｏｔｈ（登録商標）互換送信機、または赤外線互換送信機を使用することによって前記第１のコマンドを送るように構成された、請求項７に記載のリモートコントロール装置。
【請求項９】
前記リモートコントロール装置は、ディスプレイスクリーン上に表示され得る複数のユーザインターフェースを記憶するように構成された、請求項７に記載のリモートコントロール装置。
【請求項１０】
前記電子ディスプレイはタッチスクリーンディスプレイである、請求項７に記載のリモートコントロール装置。
【請求項１１】
前記装置はワイヤレス電話である、請求項１０に記載のリモートコントロール装置。
【請求項１２】
前記第２のコマンドは、前記リモートコントロール装置のメモリに記憶された識別子を指定することによって前記第２のリモートコントロールユーザインターフェースを識別する、請求項１０に記載のリモートコントロール装置。
【請求項１３】
リモートコントロール上でユーザインターフェースを制御する多機能デバイスにおける方法であって、前記方法は、
前記デバイスの第１の機能モードに固有の特徴を制御するように動作可能な第１のリモートコントロールユーザインターフェースを表示している前記リモートコントロールから第１のデバイスコマンドを受信することと、前記第１のデバイスコマンドにより、前記デバイスが前記第１の機能モードを出て、第２の機能モードに入ることになり、
前記リモートコントロールに第１のリモートコントロールコマンドを送ることと、前記第１のリモートコントロールコマンドは、前記リモートコントロール上に表示されるべき第２のリモートコントロールユーザインターフェースを識別し、前記第２のリモートコントロールユーザインターフェースは、前記第２の機能モードに固有の前記デバイスの特徴を制御するように動作可能である、
を備え、
前記多機能デバイスは、マルチメディアサーバを備え、前記機能モードは、ストリーミング機能モードと、ウェブブラウジング機能モードと、写真閲覧機能モードと、ゲーミング機能モードと、を備え、前記第１の機能モードと前記第２の機能モードとは、異なるコントロールを必要とする異なる機能を与える、方法。
【請求項１４】
多機能デバイスであって、
ストリーミング機能モードと、ウェブブラウジング機能モードと、写真閲覧機能モードと、ゲーミング機能モードとを備える複数の機能モードにおいて動作可能なマルチメディアサーバと、
前記デバイスの第１の機能モードに固有の特徴を制御するように動作可能な第１のリモートコントロールユーザインターフェースを表示しているリモートコントロールから第１のデバイスコマンドを受信するように構成されたデバイスコマンド受信モジュールと、前記第１のデバイスコマンドにより、前記デバイスが前記第１の機能モードを出て、第２の機能モードに入ることになり、
前記リモートコントロールに第１のリモートコントロールコマンドを送るように構成されたリモートコマンド送信モジュールと、前記第１のリモートコントロールコマンドは、前記リモートコントロール上に表示されるべき第２のリモートコントロールユーザインターフェースを識別し、前記第２のリモートコントロールユーザインターフェースは、前記第２の機能モードに固有の前記デバイスの特徴を制御するように動作可能である、
を備え、
前記第１の機能モードと前記第２の機能モードとが、異なるコントロールを必要とする異なる機能を与える、多機能デバイス。
【請求項１５】
請求項１乃至６および１３のうちのいずれか１つのステップを備える方法を処理回路に実行させる命令を記憶した非一時的コンピュータ可読記憶媒体。